(57)【要約】【課題】ペットの運動が単調になることを防ぐことによって効率的にペットの運動不足解消やストレス発散をさせることが可能なペット用遊戯具を提供することを課題とする。【解決手段】床部材及び周壁部材のいずれか一方又は両方に開口部を形成した筐体を、前記開口部を介してペットが筐体内部間の移動及び筐体への出入りのいずれか一方又は両方を自在にできるように複数組み合わせることによってペット用遊戯具を構成する。【選択図】図３
2011067126.tif 000002
【特許請求の範囲】
【請求項１】
床部材と周壁部材とからなる筐体を複数組み合わせることによって構成するペット用遊戯具において、
前記床部材及び前記周壁部材のいずれか一方に又は両方に開口部を形成することによってペットが前記開口部を介して前記筐体内部間の移動及び前記筐体への出入りのいずれか一方又は両方を自在にできるようにしたこと特徴とするペット用遊戯具。
【請求項２】
筐体は六面体からなり、床部材は底面で周壁部材は他の５面でそれぞれ形成され、前記底面及びその他の５つの面のうち２つ以上のいずれかの面に少なくとも１以上の開口部を設けたことを特徴とする請求項１に記載のペット用遊戯具。
【請求項３】
筐体の内部を仕切り板によって区画し前記仕切り板に開口部を設けたことを特徴とする請求項２に記載のペット用遊戯具。
【請求項４】
筐体は前面が凹六画形状の八面体であり、床部材は底面で周壁部材は他の７面体からそれぞれ形成され、前記底面及びその他の５つの面のうち２つ以上のいずれかの面に少なくとも１以上の開口部を設けたことを特徴とする請求項１に記載のペット用遊戯具。
【請求項５】
前記筐体に爪とぎを付設したことを特徴とする請求項１から４のいずれかに記載のペット用遊戯具。
【発明の詳細な説明】
【技術分野】
【０００１】
本発明は、ペットの運動不足解消やストレス発散等が可能なペット用遊戯具に関する。
【背景技術】
【０００２】
近年、猫等のペットを居室空間で飼うことが多くなってきている。一般的な日本の居住空間は十分な広さを備えていないことが多く、こういった居室空間では、ペットは運動不足やストレスを溜める等不健康に成りがちである。また、ペットの餌も栄養価の高いものが多くなってきており、肥満化し易く、糖尿病などの現在病に罹る恐れがある。
【０００３】
このように、居住空間でペットを飼うのには様々な問題があるため、ペットの飼い主側にとっては、これらペットの健康管理は重要な問題である。
そこで、室内にペット用の遊戯具を設置しそこで遊ばせることによって運動不足を解消する方法が提案されている（特許文献１参照）。
【先行技術文献】
【特許文献】
【０００４】
【特許文献１】登録実用新案公報  第３０３９３８０号
【発明の概要】
【発明が解決しようとする課題】
【０００５】
ところが、特許文献１に記載の技術は、ペット用遊戯具の形状が予め決まっているため
ペットの運動が単調になりがちになり効率的に運動不足解消やストレス発散をさせることができない恐れがある。
【０００６】
本発明は、上記課題に鑑みてなされたものであり、運動が単調になることを防ぐことによって効率的にペットに運動不足解消やストレス発散をさせることが可能なペット用遊戯具を提供することを課題とする。
【課題を解決するための手段】
【０００７】
上記課題は、以下の手段によって解決される。
請求項１に係る発明は、床部材と周壁部材とからなる筐体を複数組み合わせることによって構成するペット用遊戯具において、前記床部材及び前記周壁部材のいずれか一方に又は両方に開口部を形成することによってペットが前記開口部を介して前記筐体内部間の移動及び前記筐体への出入りのいずれか一方又は両方を自在にできるようにしたこと特徴とするペット用遊戯具である。
請求項２に係る発明は、筐体は六面体からなり、床部材は底面で周壁部材は他の５面でそれぞれ形成され、前記底面及びその他の５つの面のうち２つ以上のいずれかの面に少なくとも１以上の開口部を設けたことを特徴とする請求項１に記載のペット用遊戯具である。
請求項３に係る発明は、筐体の内部を仕切り板によって区画し前記仕切り板に開口部を設けたことを特徴とする請求項２に記載のペット用遊戯具である。
請求項４に係る発明は、筐体は前面が凹六画形状の八面体であり、床部材は底面で周壁部材は他の７面体からそれぞれ形成され、前記底面及びその他の５つの面のうち２つ以上のいずれかの面に少なくとも１以上の開口部を設けたことを特徴とする請求項１に記載のペット用遊戯具である。
請求項５に係る発明は、前記筐体に爪とぎを付設したことを特徴とする請求項１から４のいずれかに記載のペット用遊戯具である。
【発明の効果】
【０００８】
請求項１に記載の発明によれば、周壁又は/及び底板に開口部又は/及び凹部が形成された筐体を自由に組み合わせることによってペット用遊戯具の全体構成を自由に組み合わせることができるのでる。これによって、筐体を適宜組み替えることによって上下方向、横方向、斜め方向及び筐体内外の出入り等の様々な運動が可能となる。例えば、所定の期間経過後に筐体の入れ替え等を行いペット用遊戯具の構成に変化を持たせることによって多様な運動が可能となり、運動が単調となることを防ぐことができ効率的に運動不足解消やストレス発散を行わせることができる。
【０００９】
請求項２に記載の発明によれば、筐体の形状を六面体とすることができるので、前項記載の効果に加えて、容易に複数の筐体を組み合わせることができる。
請求項３に記載の発明によれば、筐体内部を仕切り板によって複数の区画に分け、該仕切り板に開口部を設けることによって、例えば筐体内部での上下方向の運動が可能となる。
【００１０】
請求項４に記載の発明によれば、筐体の形状を凹六角形とすることができる。これらを適宜組み合わせることによって、より複雑な運動をさせることが可能となる。
請求項５に記載の発明によれば、筐体に爪とぎを付設することができるので筐体と爪とぎとを一体として取り扱え便利である。
【図面の簡単な説明】
【００１１】
【図１】本発明の第１実施形態に係るペット用遊戯具で利用される筐体を示した図である。
【図２】筐体１０に一対の取り付け板２６によって爪とぎ２７を固定した爪とぎ付き筐体２５を示した図である
【図３】取り付け板２６を付設した筐体１０を上下に３つ、爪とぎ付き筐体２５を上下に３つをそれぞれ重ね合わせ、これらを横方向に組み合わせて構成したペット用遊戯具３０を示した図である。
【図４】本発明の第１実施形態に係るペット用遊戯具で使用する筐体の変形例を示した図である。
【図５】本発明の第２実施形態に係るペット用遊戯具に使用される筐体を示した図である。
【図６】本発明の第２実施形態に係るペット用遊戯具に使用される筐体を示した図である。
【図７】本発明の第２実施形態に係るペット用遊戯具に使用される筐体を示した図である。
【図８】一対の取り付け板２６の間に爪とぎ２７と台座１１３とを設けた筐体７０の間に筐体９０を設置し、その上に筐体５０を重ね合わせることによって構成されたペット用遊戯具１１０を示した図である。
【図９】本発明の第２実施形態で使用される筐体の第１変形例を示した図である。
【図１０】本発明の第２実施形態で使用される筐体の第２変形例を示した図である。
【図１１】本発明の第２実施形態で使用される筐体の第３変形例を示した図である。
【図１２】本発明の第３実施形態に係るペット用遊戯具で使用される筐体を示した図である。
【図１３】４つの筐体１８０を上方向に重ね合わせることによって構成されたペット用遊戯具２１０を示した図である。
【発明を実施するための形態】
【００１２】
以下、本願請求項に係る発明（以下では、単に「本発明」という）を実施するための形態について図面を参照しながら説明する。
（第１実施形態）
本発明の第１実施形態を、図面を参照しながら説明する。
図１は、本発明の第１実施形態に係るペット用遊戯具で使用される筐体を示した図である。
【００１３】
図に示すように、筐体１０は前面が開放された長方形状の六面体である。
筐体１０は、前面の上辺に沿って形成された凹形の開口部１６と側辺に沿って形成された凹形の開口部１７とを有する天板１１、中央部に円形の開口部１８が形成された側板１２、前面の下辺に沿って形成された凹形の開口部１９と側辺に沿って形成された凹形の開口部２０とを有する底板１３、底辺に沿って形成された凹形の開口部２１と上辺に沿って形成された凹形の開口部２２とを有する側板１４を順次接続して成り、前記すべての板を繋ぐように背板１５が接続されている。
【００１４】
背板１５には、電気器具のコード用の開口部２４が形成されており、この開口部２４にコードを貫通させることによって例えば暖房器具を筐体１０の内部に設置することが可能となっている。また、天板１１と底板１３とにはそれぞれ嵌合凹部２３が形成されており、円柱形の金属棒（図示せず）をこの嵌合凹部２３に差し込むことによって複数の筐体１０を上下に重ね合わせ固定できる。
【００１５】
図２は、筐体１０に一対の取り付け板２６によって爪とぎ２７を螺旋で固定した爪とぎ付き筐体２５を示した図である。この構成とすれば、ペット用遊戯具と爪とぎとを一体として持ち運べ、また同じ場所に設置することが可能となる。
【００１６】
図３は、取り付け板２６を付設した筐体１０を上下に３つ、爪とぎ付き筐体２５を上下に３つをそれぞれ重ね合わせ、これらを横方向に組み合わせて構成したペット用遊戯具３０を示した図である。
【００１７】
筐体１０と爪とぎ付き筐体２５との上下方向の固定はそれぞれ前述した嵌合凹部２３に円柱形の金属棒を差し込むことで行う。また、筐体１０と爪とぎ付き筐体２５との横方向の固定にはコ字形の固定具（図示せず）を側板に嵌め込むことによって固定する。
【００１８】
図に示すように、ペットは開口部１８を介して筐体内部と取り付け板２６との出入りができ爪とぎ２７を使用することができる。
【００１９】
また、開口部３２aを介して筐体内部３３a、筐体内部３３d及び天板１１上への相互移動が可能となる。同様に、開口部３２bを介して筐体内部３３a、筐体内部３３b、筐体内部３３ｄ及び筐体内部３３e間の相互移動が、開口部３２cを介して筐体内部３３b、筐体内部３３c、筐体内部３３e及び筐体内部３３fの相互間移動が、開口部３２dを介して筐体内部３３cと筐体内部３３fの相互移動が、それぞれ可能となる。
【００２０】
さらに、凹形の開口部３４aを介して筐体内部３３aと天板１１上との相互間の移動が可能となる。
【００２１】
同様に、凹形の開口部３４bを介して筐体内部３３aと筐体内部３３bとの相互間の移動が、凹形の開口部３４cを介して筐体内部３３bと筐体内部３３cとの相互間の移動が、凹形の開口部３４dを介して筐体内部３３dと天板１１上との相互間の移動が、凹形の開口部３４eを介して筐体内部３３dと筐体内部３３eとの相互の移動が、凹形の開口部３４ｆを介して筐体内部３３eと筐体内部３３fとの相互間の移動が、それぞれ可能となっている。
【００２２】
図４は、第１実施形態に係るペット用遊戯具で使用する筐体の変形例を示した図である。
なお、以下では前述した筐体の構成と同機能を有するものは同符号を付し、詳細な説明は割愛する。
【００２３】
図に示すように、筐体４０は、凹形の開口部１６、１７及び４１を有する天板１１、凹形の開口部４２、４３を有する側板１２、凹形の開口部１９、２０及び４４を有する底板１３、凹形の開口部２１と凹形の開口部２２とを有する側板１４を順次接続して成り、前記すべての板を繋ぐように背板１５が接続されている。
【００２４】
この構成とすれば、複数の筐体を適宜組み替えることによって上下方向、横方向、斜め方向及び筐体内部と外部の出入り等様々な運動が可能となる。これによって、例えば所定の期間経過後に筐体の入れ替え等を行いペット用遊戯具の構成に変化を持たせることによって運動が単調になることを防ぐことができ効率的に運動不足解消やストレス発散を行わせることができる。
【００２５】
また、複数の筐体を自在に組み合わせることによってレイアウトの異なるペット用遊戯具を構成することができる。これにより、居住空間に合わせてペット用遊戯具を構成することができるので居住空間を有効に利用することができる。
さらに、筐体に爪とぎを付設することによってペット用遊戯具と爪とぎを一体として取り扱うことができるので持ち運び等に便利である。
【００２６】
（第２実施形態）
本発明の第２実施形態を、図面を参照しながら説明する。
図５、図６及び図７は、本発明の第２実施形態に係るペット用遊戯具に使用される筐体を示した図である。
【００２７】
図５に示す筐体５０は、開放された前面側の辺に沿って形成された凹形の開口部５７を有する天板１１、円形の開口部５８、５９を有する側板１２、前面側の辺に沿って形成された凹形の開口部６０を有する底板１３、円形の開口部６１を有する側板１４を順次接続して形成され、前記すべての板を繋ぐように背板１５が接続されている。
また、側板１４側に凹形の開口部６２を有する横仕切り板５６によって筐体内部が上下２つの区画に分割されている。
【００２８】
図６に示す筐体７０は、開放された前面側の辺に沿って形成された凹形の開口部７７を有する天板１１、円形の開口部７８、７９を有する側板１２、前面側の辺に沿って形成された凹形の開口部８０を有する底板１３、円形の開口部８１、８２を有する側板１４を順次接続して形成され、前記すべての板を繋ぐように背板１５が接続されている。
【００２９】
また、筐体内部は側板１２側に凹形の開口部８３が形成された横仕切り板７５と側板１４側に凹形の開口部８４が形成された横仕切り板７６によって上下３つの区画に分割されている。
【００３０】
図７に示す筐体９０は、開放された前面側の辺に沿って形成された凹形の開口部９７を有する天板１１、円形の開口部９８、９９を有する側板１２、開放された前面側の辺に沿って形成された凹形の開口部１００を有する底板１３、円形の開口部１０１、１０２を有する側板１４を順次接続して形成され、前記すべての板を繋ぐように背板１５が接続されている。
【００３１】
また、筐体内部は側板１４側に凹形の開口部１０３が形成された横仕切り板９５と側板１２側に凹形の開口部１０４が形成された横仕切り板９６とによって上下３つの区画に分割されている。
筐体５０、７０及び９０の構成とすれば、筐体内部でペットの上下方向の運動が可能となる。
【００３２】
図８は、一対の取り付け板２６の間に爪とぎ２７と台座１１３とを設けた筐体７０の間に筐体９０を設置し、その上に筐体５０を重ね合わせることによって構成されたペット用遊戯具１１０を示した図である。
【００３３】
このペット用遊戯具１１０も図３に示したペット用遊戯具３０と同様に、それぞれの開口部を介して筐体内部の上下方向、横方向及び斜め方向の移動及び筐体内部と外部との出入り、例えば台座と筐体内部との出入りが可能となる。
【００３４】
図９から図１１は、第２実施形態で使用される筐体の変形例を示した図である。
図９に示す筐体１２０は、開放された前面の上辺に沿って凹形の開口部１２６が形成された天板１１、円形の開口部１２７が形成された側板１２、開放された下辺に沿って形成された凹形の開口部１２８が形成された底板１３、円形の開口部１２９が形成された側板１４を順次接続して成り、前記すべての板を繋ぐように背板１５が接続されている。
【００３５】
また、筐体内部は、側板１２側に凹形の開口部１３１と側板１４側に凹形の開口部１３０とがそれぞれ形成された横仕切り板１２５によって上下２つの区画に分割されている。
【００３６】
図１０に示す筐体１４０は、開放された前面の上辺に沿って形成された凹形の開口部１４６と凹形の開口部１４７、１４８とを有する天板１１、凹形の開口部１４９、１５１と円形の開口部１５０とを有する側板１２、開放された下辺に沿って形成された凹形の開口部１５２と凹形の開口部１５３、１５４とを有する底板１３、凹形の開口部１５５、１５７と円形の開口部１５６を有する側板１４を順次接続して成り、前記すべての板を繋ぐように背板１５が接続されている。
【００３７】
また、筐体内部は、側板１４側に凹形の開口部１５８と側板１２側に凹形の開口部１５９を有する横仕切り板１６０によって上下２つの区画に分割されている。
【００３８】
図１１に示す筐体１６３は、開放された前面の上辺に沿って形成された凹形の開口部１６６と凹形の開口部１６７を有する天板１１、円形の開口部１６８、１６９を有する側板１２、開放された下辺に沿って形成された凹形の開口部１７０と凹形の開口部１７１を有する底板１３、凹形の開口部１７２、１７４と円形の開口部１７３を有する側板１４を順次接続して成り、前記すべての板を繋ぐように背板１５が接続されている。
【００３９】
また、筐体内部は、側板１４側に凹形の開口部１７５を有する横仕切り板１６５によって上下２つの区画に分割されている。
この構成とすれば、複数の筐体を適宜組み替えることによって上下方向、横方向、斜め方向及び筐体内部と外部の出入り等様々な運動が可能となる。例えば所定の期間経過後に筐体の入れ替え等を行いペット用遊戯具の構成に変化を持たせることによって運動が単調になることを防ぐことができ効率的に運動不足解消やストレス発散を行わせることができる。
【００４０】
また、複数の筐体を自在に組み合わせることによってレイアウトの異なるペット用遊戯具を構成することができる。これにより、居住空間に合わせてペット用遊戯具を構成することができるので居住空間を有効に利用することができる。
【００４１】
さらに、筐体の形状を六面体とすることによってペット用遊戯具を容易に構成することができる。
【００４２】
（第３実施形態）
本発明の第３実施形態を、図面を参照しながら説明する。
図１２は、本発明の第３実施形態に係るペット用遊戯具で使用される筐体を示した図である。
【００４３】
図に示すようには、筐体１８０は、前面側の上辺に沿って形成された凹形の開口部１８７と側辺に沿って形成された凹形の開口部１８８とを有する天板１１a、凹形の開口部１８９、１９０を有する側板１２a、凹形の開口部１９１、１９２を有する天板１１b、円形の開口部１９３を有する側板１２b、前面側の下辺に沿って形成された凹形の開口部１９４を有する底板１３、円形の開口部１９５、１９６を有する側板１４を順次接続し前記すべての板を繋ぐように背板１５が接続された前面が凹六角形形状からなる八面体である。
また、筐体１８０の内部には、爪とぎ２７と台座１１３とが付設されている。
【００４４】
図１３は、４つの筐体１８０を上方向に重ね合わせることによって構成されたペット用遊戯具２１０を示した図である。
このペット用遊戯具２１０も図３に示したペット用遊戯具３０と同様に、それぞれの開口部を介して筐体内部の上下方向、横方向及び斜め方向の移動及び筐体内部と外部との出入り、例えば台座と筐体内部との出入りが可能となる。
【００４５】
この構成とすれば、筐体を適宜組み替えることによって上下方向、横方向、斜め方向及び外部と筐体内部の出入りといった様々な運動が可能となり、運動が単調になることを防ぐことができる。これによって、ペットに効率的に運動不足解消やストレス発散を行わせることができる。
【００４６】
また、筐体の形状が凹六面体なので、複数の筐体を適宜組み合わせることによってより複雑な運動をさせることが可能となる。
【００４７】
さらに、該筐体と第１実施形態に係る筐体や第２実施形態に係る筐体とを適宜組み合わせることによって多様なレイアウトのペット用遊戯具を構成することができる。これによって、居住空間に応じたペット用遊戯具を構成することで居住空間を有効に利用することができる。
【符号の説明】
【００４８】
１０・・・筐体
２５・・・爪とぎ付き筐体
２６・・・取り付け具
２７・・・爪とぎ
３０・・・ペット用遊戯具
【図１】
2011067126.tif 000003
【図２】
2011067126.tif 000004
【図３】
2011067126.tif 000005
【図４】
2011067126.tif 000006
【図５】
2011067126.tif 000007
【図６】
2011067126.tif 000008
【図７】
2011067126.tif 000009
【図８】
2011067126.tif 000010
【図９】
2011067126.tif 000011
【図１０】
2011067126.tif 000012
【図１１】
2011067126.tif 000013
【図１２】
2011067126.tif 000014
【図１３】
2011067126.tif 000015